(57)【特許請求の範囲】
【請求項１】
当事者チャレンジ装置内で実行される、少なくとも１つの通信ネットワークを介して第２の端末と通信しようとする第１の端末にチャレンジを提供する方法であって、
第１の当事者に関連する前記第１の端末から送信されて前記第２の端末にアドレス指定される、前記第１の端末から前記第２の端末へのメディア転送に関する第１の電子メッセージを受信するステップと、
前記第１の当事者または前記第１の端末に関連する通信状況データであって、セッションタイプ識別データを含む前記通信状況データを得るステップと、
前記得られた通信状況データに基づく電子的チャレンジメッセージであって、前記第１の当事者へのチャレンジを含む電子的チャレンジメッセージを提供するステップと、
前記電子的チャレンジメッセージを前記第１の端末に送信することにより、前記電子的チャレンジメッセージ内に提供される前記チャレンジに対する応答を含む、前記第１の端末から受信される電子的応答メッセージの正しさに基づいて、前記第２の端末に対する前記第１の電子メッセージの処理方法に関する決定を行うステップと
を含む方法。
【請求項２】
種々のタイプのチャレンジメッセージがあり、前記得られた通信状況データに基づく電子的チャレンジメッセージを提供する前記ステップが、前記得られた状況データに基づいてチャレンジメッセージタイプを決定するステップを伴う、請求項１に記載の方法。
【請求項３】
前記通信状況データが前記第１の端末の収集された移動性データを含む、請求項１または請求項２に記載の方法。
【請求項４】
前記通信状況データが前記第１の端末の位置データを含む、請求項３に記載の方法。
【請求項５】
前記収集された動作データが前記第１の端末の移動データを含む、請求項３または請求項４に記載の方法。
【請求項６】
前記得られた通信状況データに基づく電子的チャレンジメッセージを提供する前記ステップが、前記収集された移動性データに基づく前記電子的チャレンジメッセージ内に含ませる情報を選択するステップを伴う、請求項３〜５のいずれか１項に記載の方法。
【請求項７】
前記通信状況データがチャレンジ提示ケイパビリティ規定データを含む、請求項１〜６のいずれか１項に記載の方法。
【請求項８】
少なくとも一部のチャレンジ提示ケイパビリティ規定データが前記第１の端末の前記チャレンジ提示ケイパビリティに関連している、請求項７に記載の方法。
【請求項９】
前記チャレンジを提示するために前記第１の端末により使用される提示装置の前記チャレンジ提示ケイパビリティに適合された提示設定を、前記第１の端末に提供するステップを含む、請求項７または請求項８に記載の方法。
【請求項１０】
少なくとも一部のチャレンジ提示ケイパビリティ規定データが前記第１の当事者に関連する別の端末に関連している、請求項７〜９のいずれか１項に記載の方法。
【請求項１１】
前記通信状況データが、前記別の端末への別個の通信チャネルを識別するデータを含む、請求項１０に記載の方法。
【請求項１２】
前記第１の端末から通信状況データを受け取るステップをさらに含む、請求項１〜１１のいずれか１項に記載の方法。
【請求項１３】
前記少なくとも１つの通信ネットワーク内の少なくとも１つの通信状況データ提供ノードから通信状況データを受け取るステップをさらに含む、請求項１〜１２のいずれか１項に記載の方法。
【請求項１４】
１つの通信状況データ提供ノードが移動性データ収集ノードであり、この移動性データ収集ノードから受信される前記通信状況データが前記第１の端末に関する無線ネットワーク測定値を含む、請求項１３に記載の方法。
【請求項１５】
１つの通信状況データ提供ノードが通信状況データ記憶ノードであり、この通信状況データ記憶ノードから受信される前記通信状況データが、前記第１の当事者または前記第１の端末に関連する以前のチャレンジまたはチャレンジのタイプ、および通信を識別するデータを含む、請求項１３または１４に記載の方法。
【請求項１６】
前記セッションタイプ識別データが前記第１の電子メッセージ内に含まれる、請求項１〜１５のいずれか１項に記載の方法。
【請求項１７】
前記電子的応答メッセージを受け取るステップと、前記応答の前記正しさを決定するステップと、前記応答が正しい場合、正しい応答に対して提供されるポリシ規則に従って前記第１の電子メッセージを処理し、前記応答が正しくない場合、正しくない応答に対して提供されるポリシ規則に従って前記第１の電子メッセージを処理するステップとを含む、請求項１〜１６のいずれか１項に記載の方法。
【請求項１８】
前記通信状況データが、前記第１の当事者により提供されるチャレンジ優先データを含む、請求項１〜１７のいずれか１項に記載の方法。
【請求項１９】
前記電子的チャレンジメッセージが、コンピュータと人間を区別する完全に自動化された公開チューリングテスト（ＣＡＰＴＣＨＡ）タイプのメッセージである、請求項１〜１８のいずれか１項に記載の方法。
【請求項２０】
少なくとも１つの通信ネットワークを介して第２の端末と通信しようとする第１の端末にチャレンジを提供するための当事者チャレンジ装置であって、
少なくとも１つの通信インタフェースと、
チャレンジ提供ユニットと
を備えており、チャレンジ提供ユニットが、
第１の当事者に関連する前記第１の端末から送信されて前記第２の端末にアドレス指定される、前記第１の端末から前記第２の端末へのメディア転送に関する第１の電子メッセージを受け取り、
前記第１の当事者または前記第１の端末に関連する通信状況データであって、セッションタイプ識別データを含む通信状況データを取得し、
前記取得した通信状況データに基づく電子的チャレンジメッセージであって、前記第１の当事者へのチャレンジを含む前記電子的チャレンジメッセージを提供し、
前記第１の端末に前記電子的チャレンジメッセージを送信することにより、前記電子的チャレンジメッセージ内に提供される前記チャレンジに対する応答を含む、前記第１の端末から受信される電子的応答メッセージの正しさに基づいて、前記第２の端末に対する前記第１の電子メッセージを処理する方法を決定する
ように構成されている装置。
【請求項２１】
異なるタイプの電子的チャレンジメッセージがあり、前記チャレンジ提供ユニットが、さらに、前記取得した通信状況データに基づく電子的チャレンジメッセージを提供するとき、前記取得した状況データに基づいてチャレンジメッセージタイプを決定するように構成されている、請求項２０に記載の装置。
【請求項２２】
前記チャレンジ提供ユニットが、さらに、前記取得した通信状況データに基づく電子的チャレンジメッセージを提供するとき、前記通信状況データに基づいて前記電子的チャレンジメッセージ内に含ませる情報を選択するように構成されている、請求項２０または請求項２１に記載の装置。
【請求項２３】
前記チャレンジ提供ユニットが、さらに、前記電子的応答メッセージを受け取り、前記応答の前記正しさを決定し、前記応答が正しい場合、正しい応答に対して提供されるポリシ規則に従って前記第１の電子メッセージを処理し、前記応答が正しくない場合、正しくない応答に対して提供されるポリシ規則に従って前記第１の電子メッセージを処理するように構成されている、請求項２０〜２２のいずれか１項に記載の装置。
【請求項２４】
少なくとも１つの通信ネットワークを介して第２の端末と通信しようとする第１の端末にチャレンジを提供するために、当事者チャレンジ装置上で実行されるとき、前記当事者チャレンジ装置に、
第１の当事者に関連する前記第１の端末から送信されて前記第２の端末にアドレス指定される、前記第１の端末から前記第２の端末へのメディア転送に関する第１の電子メッセージを受け取らせ、
前記第１の当事者または前記第１の端末に関連する通信状況データであって、セッションタイプ識別データを含む前記通信状況データを取得させ、
前記取得した通信状況データに基づく電子的チャレンジメッセージであって、前記第１の当事者へのチャレンジを含む前記電子的チャレンジメッセージを提供させ、
前記第１の端末に前記電子的チャレンジメッセージを送信させることにより、前記電子的チャレンジメッセージ内に提供される前記チャレンジに対する応答を含む、前記第１の端末から受信される電子的応答メッセージの正しさに基づいて、前記第２の端末に対する前記第１の電子メッセージの処理方法を決定させる、
コンピュータプログラムコードを含むコンピュータプログラム。
【請求項２５】
請求項２４に記載のコンピュータプログラムが記憶されるコンピュータ読出可能手段。
【発明の詳細な説明】
【技術分野】
【０００１】
本発明は、通信イニシエータに関連するチャレンジを提供することに関する。より詳細には、本発明は、少なくとも１つの通信ネットワークを介して、第２の端末と通信しようとする第１の端末に対してチャレンジを提供するための方法、装置、コンピュータプログラム、およびコンピュータプログラム製品に関する。
【背景技術】
【０００２】
要求されていない通信、たとえばスパム（ＳＰＡＭ）がインターネット上でますます問題になってきている。多くのタイプの望まれないトラフィックがあり得るが、スパムは通常、望まれないだけでなく、大量に配られる通信であると規定される。この大量配布が、メッセージの（機械に基づく）自動生成によってしばしば達成される。スパムが、電気通信運営者ネットワーク、たとえば固定式または移動式の電気通信運用者ネットワークに広がるという恐れがある。電気通信ネットワークでのそのようなスパムは、スパムを受け取るユーザまたは当事者にとって迷惑であるだけではない。そのようなスパムはまた、ネットワークの浪費、およびエンドユーザの多分正しくない、または一見不当と思われる請求につながることがある。スパムが電子メール以外のサービス、たとえばＩＰテレフォニ（ＩＰテレフォニ上のスパム：「ＳｐＩＴ」）、インスタントメッセージング（インスタントメッセージング上のスパム：「ＳｐＩＭ」）にまで、および一般に任意の／すべてのＩＰマルチメディアサブシステム（ＩＭＳ）サービスベースのサービスにまで広がるという恐れもある。
【０００３】
ＩＭＳが第３世代パートナーシッププロジェクト（３ＧＰＰ）運営者により提供される場合、ユーザが認証され、犯人（要求されていない通信のソース）が識別されることができるということが主張される。それにもかかわらず、ＩＭＳは、スパム／ＳｐＩＭ／ＳｐＩＴを防止しない。また、当事者の一方しか（またはどちらも）、３ＧＰＰのホスティングサービスを使用しない場合をサポートする必要がある。
【０００４】
このため、好ましくは、望ましくない通信が行われるのを阻止するための対抗策をとることができるために、通信ネットワーク内の通信イニシエータを少なくとも広く認証することができる必要がある。この点において、受信側の当事者が関与することなくこのことが行われることに関心がある。しかし、受信側のこの当事者は、当然すべてのそのような通信を開始する当事者が非除されることを望まない。
【０００５】
スパムを緩和する様々な技法が提案されてきた。共通点は、技法が通信の送信者／イニシエータに「チャレンジすること」に基づくことである。考え方は、送信者に計算パズルを解くよう求めることにより、送信者の計算装置に対して計算負荷を課し、それにより送信者が通信を開始する割合を制限すること、または送信者に人間のユーザだけが解くことができるタスクを与え、それにより人間には限られた計算能力しかないということを使用することである。このことは、人間の関与を必要とするので、スパムを送信する工程を遅くする、またはスパムを送信する工程に費用がかかるようにする。したがって、後者の形のチャレンジは、「チューリングテスト」の形と見られることができ、これに関連して、「コンピュータと人間を区別する完全に自動化された公開チューリングテスト（Ｃｏｍｐｌｅｔｅｌｙ  Ａｕｔｏｍａｔｅｄ  Ｐｕｂｌｉｃ  Ｔｕｒｉｎｇ−ｔｅｓｔ  ｔｏ  ｔｅｌｌ  Ｃｏｍｐｕｔｅｒｓ  ａｎｄ  Ｈｕｍａｎｓ  Ａｐａｒｔ）」（ＣＡＰＴＣＨＡ）として知られる。典型的なそのようなＣＡＰＴＣＨＡは、ユーザに絵もしくは映像を説明するよう求めること、または話された文の何らかの「語義の」意味を要約するよう求めることからなることがある。ＣＡＰＴＣＨＡはまた、機械により、たとえば文字認識、たとえば光学式文字認識（ＯＣＲ）を使用して容易に識別されることができないが、人間により容易に認識できる数字または文字のような「ゆがんだ」またはねじられた文字を含む画像の送信とすることができる。
【０００６】
正当な送信者が「貧弱な」装置を有している場合でさえ送信できるようにさせることに関心があるが、同時に、悪意のある「スパマ」が、支援となる大規模コンピュータクラスタを有する場合でさえ大量の電子メールを送信させないことが望ましいので、計算パズルに伴う問題が、「適切に」難しいパズルを発行することが困難であることである。
【０００７】
ＣＡＰＴＣＨＡは、前述のようにインターネットに関連して頻繁に使用されてきた。これに関する例が、国際特許第２００８／０３０３６３号パンフレットに示されている。この特許では、ＣＡＰＴＣＨＡが、状況バックグラウンド、たとえばプロバイダにより提供されるオンラインアプリケーション環境、たとえばオンライン決済環境に関連するデータと連結される。このことは、プロバイダにより提供されるサービスにアクセスすることを望むユーザが、サービス提供者の、および通常はサービス自体の状況データと連結されたＣＡＰＴＣＨＡを提示されることを意味する。
【０００８】
携帯電話を含む様々な端末に関連するＣＡＰＴＣＨＡも、米国特許出願公開第２００９／００８３８２６号明細書で提案された。
【０００９】
しかし、依然としてＣＡＰＴＣＨＡのようなよいチャレンジを選択する方法に問題がある。まず、通信の受信側の当事者を不必要に妨害するのを回避することが望ましいので、チャレンジが受信当事者により能動的に選択されるすべての状況は、適切でない。さらに、通信イニシエータに視覚または聴覚に障害がある場合、彼または彼女は、視覚または音声のチャレンジＣＡＰＴＣＨＡを解くことができないかもしれない。通信イニシエータにより理解されることができるチャレンジが使用される場合でさえ、この通信イニシエータは、チャレンジが所与の時点で適切でない状況にある可能性がある。たとえば、通信イニシエータが「移動中」の場合、たとえば車を運転している場合、チャレンジが提示される端末のスクリーンを見るよう彼または彼女に強制することにより彼または彼女の注意をそらすことは危険となり得る。さらに、一部の端末は表示装置がないことがあり、このとき、視覚のチャレンジを見ることもできない。要約すると、チャレンジを選択するための改善された方法が必要である。
【発明の概要】
【発明が解決しようとする課題】
【００１０】
したがって、本発明は、通信を開始する当事者に提供されるチャレンジの選択を改善することに向けられる。
【００１１】
したがって、本発明の１つの目的は、チャレンジを選択する改善された方法を提供することである。
【課題を解決するための手段】
【００１２】
この目的は、本発明の第１の様態により、少なくとも１つの通信ネットワークを介して第２の端末と通信しようとする第１の端末にチャレンジを提供するための方法により達成される。当事者チャレンジ装置（ｐａｒｔｙ  ｃｈａｌｌｅｎｇｉｎｇ  ｄｅｖｉｃｅ）内で実行される方法では、第１の端末から第２の端末へのメディアの転送に関する第１の電子メッセージが受信される。この第１の電子メッセージは、第１の当事者に関連付けられる第１の端末から送信され、第２の端末にアドレス指定される。方法では、第１の当事者または第１の端末に関連付けられる通信状況データ（ｃｏｍｍｕｎｉｃａｔｉｏｎ  ｃｏｎｔｅｘｔｕａｌ  ｄａｔａ）も得られる。次いで、第１の当事者に対するチャレンジを含む電子的チャレンジメッセージが、得られた通信状況データに基づいて提供され、最後に、電子的チャレンジメッセージが第１の端末に送信されることで、電子的チャレンジメッセージ内で提供されるチャレンジに対する応答を含む、第１の当事者から受信される電子的応答メッセージの正しさに基づいて、第２の端末に対する第１の電子メッセージの処理方法に関する決定が行われる。
【００１３】
目的は、本発明の第２の様態により、少なくとも１つの通信ネットワークを介して、第２の端末と通信しようとする第１の端末にチャレンジを提供するための当事者チャレンジ装置により達成される。装置は、少なくとも１つの通信インタフェースおよびチャレンジ提供ユニットを含む。このチャレンジ提供ユニットは、第１の当事者に関連する第１の端末から送信され第２の端末にアドレス指定される、第１の端末から第２の端末へのメディアの転送に関する第１の電子メッセージを受信し、第１の当事者または第１の端末に関連する通信状況データを取得し、得られた通信状況データに基づいて、第１の当事者へのチャレンジを含む電子的チャレンジメッセージを提供し、電子的チャレンジメッセージを第１の端末に送信するように構成される。この方法では、電子的チャレンジメッセージ内に提供されるチャレンジに対する応答を含む、第１の端末から受信される電子的応答メッセージの正しさに基づいて、第２の端末に対する第１の電子メッセージの処理方法に関する決定が行われる。
【００１４】
上述の目的は、本発明の第３の様態により、コンピュータプログラムコードを含むコンピュータプログラムにより解決される。コードが、少なくとも１つの通信ネットワークを介して、第２の端末と通信しようとする第１の端末にチャレンジを提供するために当事者チャレンジ装置上で実行されるとき、コードは、当事者チャレンジ装置に、第１の当事者に関連する第１の端末から送信され第２の端末にアドレス指定される、第１の端末から第２の端末へのメディアの転送に関する第１の電子メッセージを受信させ、第１の当事者または第１の端末に関連する通信状況データを取得させ、得られた通信状況データに基づいて第１の当事者に対するチャレンジを含む電子的チャレンジメッセージを提供させ、電子的チャレンジメッセージを第１の端末に送信させる。この方法では、電子的チャレンジメッセージ内に提供されるチャレンジに対する応答を含む、第１の端末から受信される電子的応答メッセージの正しさに基づいて、第２の端末に対する第１の電子メッセージの処理方法に関する決定が行われる。
【００１５】
上述の目的は、本発明の第４の様態により、第３の様態によるコンピュータプログラムを含むコンピュータプログラム製品、およびコンピュータプログラムが記憶されるコンピュータ読出可能媒体により解決される。
【００１６】
本発明には多くの有利な点がある。本発明の原理に従って生成されるチャレンジは、第１の当事者および第１の端末が、チャレンジを実際に提示しチャレンジに応答する能力を考慮に入れる。これらのケイパビリティおよび能力は種々の当事者間でかなり異なることがある。このことは、正直な第１の当事者が、第２の端末に関連付けられる第２の当事者との通信に実際に成功する確立を増大させる。このことは、第２の当事者の地域的プライバシをぎりぎりに低減することで行われることができる。この場合、地域的プライバシは、第２の当事者が邪魔されない権利である。このことはさらに、第２の当事者がチャレンジを生成することに積極的に関与させられることを必要とせずに行われる。
【００１７】
本発明の一変形形態によれば、種々のタイプの電子的チャレンジメッセージがある。
【００１８】
したがって、方法で得られた通信状況データに基づく電子的チャレンジメッセージを提供するステップは、得られた状況データに基づいてチャレンジメッセージタイプを決定するステップを伴う。
【００１９】
同じ理由により、チャレンジ提供ユニットは、得られた通信状況データに基づく電子的チャレンジメッセージを提供するとき、得られた状況データに基づいてチャレンジメッセージタイプを決定するようにさらに構成される。
【００２０】
同様にこの理由により、コンピュータプログラムのコンピュータプログラムコードは、得られた通信状況データに基づく電子的チャレンジメッセージを提供するとき、当事者チャレンジ装置に、得られた状況データに基づいてチャレンジメッセージタイプをさらに決定させる。
【００２１】
本発明の別の変形形態によれば、通信状況データは、第１の端末の収集された移動性データを含む。この収集された移動性データは第１の端末の位置データを含むことができる。この収集された移動性データはまた、第１の端末の移動データを含むことができる。このことはまた、チャレンジの選択が要因、たとえば第１の端末が移動する速度により影響を及ぼされることができるようにする。
【００２２】
本発明の別の変形形態によれば、得られた通信状況データに基づく電子的チャレンジメッセージを提供するステップは、収集された移動性データに基づいて電子的チャレンジメッセージ内に含ませる情報を選択するステップを伴う。この変形形態によれば、当事者チャレンジ装置内のチャレンジ提供ユニットは、得られた通信状況データに基づく電子的チャレンジメッセージを提供するとき、通信状況データに基づく電子的チャレンジメッセージ内に含ませる情報を選択するように、さらに構成される。この変形形態によれば、コンピュータプログラム内のコンピュータプログラムコードは、得られた通信状況データに基づく電子的チャレンジメッセージを提供するとき、当事者チャレンジ装置に、通信状況データに基づく電子的チャレンジメッセージ内に含ませる情報をさらに選択させる。このことは、収集された移動性データがチャレンジの内容に影響を及ぼすことができるようにし、そのことが、チャレンジが地理的位置に基づくことができるようにする。
【００２３】
本発明のさらに別の変形形態によれば、通信状況データは、チャレンジ提示ケイパビリティ規定データを含む。少なくとも一部のチャレンジ提示ケイパビリティ規定データはまた、正しいタイプのチャレンジを選択するためのよい基礎を提供する、第１の端末のチャレンジ提示ケイパビリティに関係があり得る。
【００２４】
本発明の別の変形形態によれば、方法は、チャレンジを提供するために第１の端末により使用される提示装置のチャレンジ提示ケイパビリティに適合される提示設定を第１の端末に提供するステップをさらに含む。何らかの理由のために、当事者チャレンジ装置内のチャレンジ提供ユニットが、チャレンジを提示するために第１の端末により使用される提示装置のチャレンジ提示ケイパビリティに適合される提示設定を第１の端末に提供するようにさらに構成される。同様にこの理由により、コンピュータプログラムのコンピュータプログラムコードは、当事者チャレンジ装置に、チャレンジを提示するために第１の端末により使用される提示装置のチャレンジ提示ケイパビリティに適合される提示設定を第１の端末にさらに提供させる。このことは、チャレンジの提示および選択、ならびにチャレンジタイプのさらなる改良を可能にする。
【００２５】
本発明の別の変形形態によれば、少なくとも一部のチャレンジ提示ケイパビリティ規定データが、第１の当事者に関連する別の端末に関係がある。この場合、通信状況データはまた、別の端末への別個の通信チャネルを識別するデータを含む。この変形形態は、チャレンジの一部が、第１の端末上に提示され、チャレンジの別の部分が別の端末上に提示されることができるようにする。
【００２６】
本発明の別の変形形態によれば、方法は、第１の端末から通信状況データを受信するステップをさらに含む。この変形形態によれば、当事者チャレンジ装置内のチャレンジ提供ユニットは、第１の端末から通信状況データを受信するようにさらに構成される。同様にこの理由により、コンピュータプログラム内のコンピュータプログラムコードは、当事者チャレンジ装置に第１の端末から通信状況データをさらに受信させる。
【００２７】
本発明の別の変形形態によれば、方法は、少なくとも１つの通信ネットワーク内の少なくとも１つの通信状況データ提供ノードから通信状況データを受信するステップをさらに含む。同じ理由により、当事者チャレンジ装置内のチャレンジ提供ユニットは、少なくとも１つの通信ネットワーク内の少なくとも１つの通信状況データ提供ノードから通信状況データを受信するようにさらに構成される。同様に、この理由により、コンピュータプログラムのコンピュータプログラムコードは、当事者チャレンジ装置に少なくとも１つの通信ネットワーク内の少なくとも１つの通信状況データ提供ノードから通信状況データをさらに受信させる。
【００２８】
この場合、１つの通信状況データ提供ノードは、移動性データ収集ノードでもよく、この移動性データ収集ノードから受信される通信状況データは、第１の端末に関する無線ネットワーク測定値を含むことができる。このことは、チャレンジのタイプを選択するためにネットワークからの、たとえば移動性データの提供を可能にする。この方法では、チャレンジのタイプの選択は、信頼できる移動性データに基づくことができる。
【００２９】
１つの通信状況データ提供ノードが、通信状況データ記憶ノードでもよく、通信状況データは、以前のチャレンジまたはチャレンジのタイプ、および第１の端末に関連する通信を識別するデータを含むことができる。
【００３０】
本発明の別の実施形態によれば、通信状況データは、第１の電子メッセージ内に含まれることができるセッションタイプ識別データを含む。
【００３１】
本発明のさらに別の変形形態によれば、方法は、電子的応答メッセージを受信するステップと、応答の正しさを決定するステップと、応答が正しい場合、正しい応答に対して提供されるポリシ規則に従って第１の電子メッセージを処理し、そうでない場合、正しくない応答に対して提供されるポリシ規則に従って第１の電子メッセージを処理するステップとをさらに含む。この場合、当事者チャレンジ装置内のチャレンジ提供ユニットは、電子的応答メッセージを受信し、応答の正しさを決定し、応答が正しい場合、正しい応答に対して提供されるポリシ規則に従って第１の電子メッセージを処理し、そうでない場合、正しくない応答に対して提供されるポリシ規則に従って第１の電子メッセージを処理するようにさらに構成される。また、コンピュータプログラム内のコンピュータプログラムコードはさらに、当事者チャレンジ装置に、電子的応答メッセージを受信させ、応答の正しさを決定させ、応答が正しい場合、正しい応答に対して提供されるポリシ規則に従って第１の電子メッセージを処理させ、そうでない場合、正しくない応答に対して提供されるポリシ規則に従って第１の電子メッセージを処理させる。
【００３２】
別の変形形態によれば、通信状況データは第１の当事者により提供されるチャレンジ優先データを含む。
【００３３】
最後に、チャレンジは、コンピュータと人間を区別する完全に自動化された公開チューリングテスト（ＣＡＰＴＣＨＡ）タイプのメッセージでもよい。
【００３４】
通信状況データは、第１の端末が開始する特定の通信に関する内容を提供するデータ、たとえば通信セッションのタイプを識別するデータでもよい。通信状況データはまた、第１の当事者に関連する別のタイプの状況データ、たとえば第１の端末のチャレンジ提示ケイパビリティ、第１の端末内に提供される任意の別の機能、または第１の端末に関連する別の端末の識別と同様にこの別の端末のチャレンジ提示ケイパビリティでもよい。通信状況データはまた、第１の当事者の別の通信ケイパビリティ、たとえば彼または彼女が、チャレンジの少なくとも一部のために別の通信チャネルにアクセスできるかどうかとすることができる。しかし、通信状況データはまた、第１の当事者の前の通信に関連するうまく解決されたチャレンジ、またはチャレンジのタイプを示すデータでもよい。通信状況データはまた、第１の当事者がネットワークに自発的に提供した別の状況データ、すなわちチャレンジ優先データ、たとえば好ましいチャレンジタイプおよび別の優先を含むことができる。
【００３５】
当事者に関連する端末が、当事者に属する端末でもよい。しかし、当事者に関連する端末はまた、当事者に関係する別の人またはエンティティ、たとえば親戚または雇用主に属するが、当事者が完全にアクセスできる端末でもよい。当事者に関連する端末はさらに、たとえば一時的に端末を借りるまたは賃借する、たとえばインターネットカフェでコンピュータを賃借することにより、当事者が特定の一時点で当事者が使用する端末でもよい。
【００３６】
チャレンジメッセージタイプが、チャレンジを提示するために使用されるメディアのタイプ、または種々のタイプのメディアの組合せの指示である。したがって、チャレンジメッセージタイプが、テキスト、音声、映像、ならびに静止画および動画のような任意の単一メディアタイプ、またはメディアタイプの組合せを示すことができる。
【００３７】
この場合、端末の移動性データは、端末の移動特性、たとえば端末の位置を示す位置データ、ならびに移動データ、たとえば移動の速度および方向に関係するデータである。
【００３８】
チャレンジ提示ケイパビリティ規定データは、チャレンジを提示する端末のケイパビリティを指定する通信状況データである。チャレンジ提示ケイパビリティ規定データは、端末が移動式か固定式かどうか、端末がどんなチャレンジ提示ユニットを、たとえばスピーカ、表示装置、または振動器を含むかのようなことを規定するデータを含むことができる。この場合、チャレンジ提示ケイパビリティ規定データはまた、そのようなユニットの特性、たとえば表示装置のサイズおよび解像度を指定することができる。
【００３９】
チャレンジに対する応答に対して提供されるポリシ規則は、第２の端末または第２の端末が関連付けられるネットワークに関連付けられる第２の当事者が、望ましい通信の処理のために設定した規則である。この規則は通信を進行させる、すなわち第２の端末へのメディアの転送を可能にすることとすることができる。しかし、この規則はまた、別のエンティティ、たとえばメールボックス、または第２の当事者に関連する別の端末へのメディアの進路変更を含むことがあり、第２の端末内で第２の当事者により行われる設定に基づいてビジー信号またはビジー応答を提供する。これらのポリシ規則はまた、進路変更が行われる前に、何度警報が行われるべきかに関連する設定を含むことができる。
【００４０】
チャレンジに対する正しくない応答に対して提供されるポリシ規則は、第２の端末、または第２の端末に関連付けられるネットワークに関連付けられる第２の当事者が、望ましくない通信を処理するために設定した規則である。このポリシ規則は、通信が進行するのを停止させる、すなわちメディアが第２の端末に移動することを拒否することが可能である。しかし、このポリシ規則はまた、別のエンティティ、たとえばメッセージまたは音声のメールボックスのようなメールボックスへのメディアの進路変更を含む、または第１の電子メッセージに対するビジー信号またはビジー応答を提供することができる。
【００４１】
用語「含む／含んでいる」は、本明細書で使用されるとき、言及される特徴、整数、ステップ、または構成要素の存在を指定するために選ばれるが、１つまたは複数の別の特徴、整数、ステップ、構成要素、またはそのグループの存在または追加を排除しないことが強調されるべきである。
【００４２】
ここで、本発明が同封の図面に関してより詳細に説明される。
【図面の簡単な説明】
【００４３】
【図１】第１の通信ネットワークに接続される第１の端末および別の端末、ならびに第２の通信ネットワークに接続される第２の端末を概略示し、第２のネットワークは、本発明の第１の実施形態による当事者チャレンジ装置を含む。
【図２】本発明の第１の実施形態による当事者チャレンジ装置の簡略化された構成図を示す。
【図３】本発明の第１の実施形態で使用されるセッション招待メッセージの形の第１の電子メッセージを概略示す。
【図４】本発明の第１の実施形態に従ってチャレンジを選択するために使用される図３のメッセージのフィールドを概略示す。
【図５】本発明の第１の実施形態による電子的チャレンジメッセージを概略示す。
【図６】本発明の第１の実施形態に従ってチャレンジを決定するための方法で実行されるいくつかの方法ステップの流れ図を示す。
【図７】本発明の一変形形態による電子的チャレンジメッセージを概略示す。
【図８】本発明の別の変形形態によるチャレンジを概略示す。
【図９】チャレンジ提供機能を実行する、本発明の一変形形態によるコンピュータプログラム内のコンピュータプログラムモジュールを概略示す。
【図１０】本発明の一実施形態によるコンピュータプログラム製品をＣＤ  ＲＯＭディスクの形で概略示す。
【発明を実施するための形態】
【００４４】
以下の説明では、説明のためであり限定のためでなく、本発明の完全な理解を提供するために、具体的詳細、たとえば特定のアーキテクチャ、インタフェース、技法などについて述べられる。しかし、本発明はこれらの具体的詳細から逸脱する別の実施形態で実施されることができることが、当業者には明らかであろう。別の例では、不必要な詳細で本発明の説明を不明瞭にしないように、よく知られた装置、回路、および方法の詳細な説明が省かれる。
【００４５】
本発明は、一般に少なくとも１つの端末を使用して、少なくとも１つの通信ネットワークを介して、第２のユーザまたは第２の当事者と連絡をとることを望む第１の当事者または通信イニシエータに対してチャレンジを提供することに向けられる。
【００４６】
この場合、端末は、携帯電話、ラップトップ、ＰＣ、固定電話などのような多様なものでもよい。したがって、特に、第２の当事者に関連する端末が、ユーザ端末でもよい。
【００４７】
コンピュータ通信および電気通信は、今日ますます集中してきている。このことは、多くの電気通信ユーザにコンピュータ通信関連のサービスおよび機能を提供するという点で有利な点があり、同様に、コンピュータユーザに電気通信のサービスおよび機能を提供するという有利な点もある。このことは、ユーザが様々なタイプの端末およびネットワークを使用して互いに通信することができるようにしてきた。さらに、これらの通信ネットワークは、多くの種々のタイプの通信をしばしば可能にする。そのような通信は、音声または映像の通信セッションのような通信セッションでもよい。しかし、通信はまた、電子メール、ＳＭＳ、ＭＭＳ、またはインスタントメッセージングのようなメッセージング、チャット、プッシュツートークなどのようなものでもよい。これらの様々なタイプの通信のすべてにおいて、様々なタイプの（マルチ）メディアが転送される。
【００４８】
しかし、この豊富な機能はまた、当事者が到達されることに関心がない通信イニシエータにより当事者が接近されることがあるという点で、そのような通信を受け入れる当事者にとってより大きな問題につながる。１つの理由が、当事者と連絡をとることを望む当事者が、侵入的である（たとえば電話によるセールス／マーケティング）または詐欺的でさえあるためであることがある。実際、通信のイニシエータは実際には人ではなくて、むしろスパム（ＳＰＡＭ）のような望ましくない情報を送信するコンピュータであることがある。当事者が連絡されることを望まないことがある別の理由が、通信イニシエータが、同じグループ／コミュニティの一部でないためであることがあり、グループは仕事の仲間、国籍、社会活動グループ、たとえばスポーツチームのファン、特殊な種類の音楽のファンなどでもよい。
【００４９】
要するに、端末、たとえばユーザ端末または通信端末を装備した当事者が、タイプ、状態、または識別が完全に決定されていない通信イニシエータを含む通信を受け入れること、またはその通信セッションに加わることを望まない場合の多くの例がある。しかし、多くの場合、当事者は、通信イニシエータが正当であると考えられるとき、これらの通信イニシエータの一部と連絡をとることに関心があることがある。
【００５０】
この状況は、通信イニシエータにチャレンジを発行し、通信イニシエータによる、チャレンジの成功した解答に基づいて通信を可能にすることにより解決される。
【００５１】
この点では、（部分的に）既知の通信イニシエータが、通信が望まれることができるタイプの彼または彼女であるかどうかをかなり容易に解決することができるべきチャレンジを選択することに関心がある。しかし、チャレンジは他者が解くのはかなり困難であるべきである。
【００５２】
しかし、チャレンジが、通信イニシエータが知ることができないタイプである場合、適切に指定された内容を有するチャレンジでさえ、通信が望ましいことがある通信イニシエータを阻止することがある。
【００５３】
要約すると、偽陽性（「正しくない」タイプのイニシエータからの通信を受け入れること）と同様に偽陰性（「正しい」タイプのイニシエータからの通信を拒絶すること）の量も最小にされるべきである。
【００５４】
本発明は、この問題に取り組む。
【００５５】
この場合さらに、チャレンジは、人とスパマを区別するためだけのチャレンジである必要がないことが理解されるべきである。一部の例では、たとえば、特定の国籍、同じスポーツチームのファン、同じ文化を有する、または同じタイプの音楽に興味があるなどのような特定の文化的背景を有する人からの通信だけを受け入れるために、一部のグループの人々を別グループから識別することに興味があることがある。
【００５６】
ここで、本発明の第１の実施形態が、ＷＡＮ（広域ネットワーク）でもよい２つの通信ネットワークＮ１およびＮ２の限定しない例のコンテクストに関してより詳細に説明される。２つのネットワークＮ１およびＮ２が、図１に示されている。図では、第１の通信ネットワークＮ１は、セルラネットワークたとえばＵＭＴＳ（第３世代移動体通信システム）ネットワークまたはＬＴＥ（携帯電話の通信規格）ネットワークであり、第２の通信ネットワークＮ２は、固定ネットワークまたは地上ネットワークである。しかし、本発明はこれらの種類のネットワークに限定されない。第１のネットワークが、たとえば地上ネットワークでも、第２のネットワークがセルラネットワークでもよい。第１および第２のネットワークはまた、両方とも同じタイプ、たとえば地上またはセルラとすることができ、同様に、コンピュータ通信ネットワークとすることができる。ネットワークが同じタイプである、たとえば両方ともセルラである場合でさえ、種々の技術を使用することがあり、たとえばＮ１がＣＤＭＡネットワークでもよく、Ｎ２がＬＴＥネットワークでもよいなどである。最後に、本発明はまた単一ネットワークに関連して使用されることができることも理解されるべきである。
【００５７】
第１のネットワークＮ１には、第１の端末１０および別の端末１２が接続され、両方とも第１の当事者または通信イニシエータに関連付けられ、第１の基地局１３を介して第１のネットワークＮ１に接続される。この場合、第１の端末は電話機、たとえば携帯電話、またはラップトップコンピュータのようなコンピュータでもよく、別の端末はまた、これらの種類の装置のいくつかでもよい。しかし、別の端末はまた、直接、またはセットトップボックス（図示せず）を介してネットワークに接続されるテレビジョン受信機でもよい。そのような場合、別の端末は、通信セッションを開始するケイパビリティを有しないが、本発明の一部の変形形態で使用されることができるネットワークへのチャネルを有する。これらは本発明と共に使用されることができる通信端末の例でしかない。第１のネットワークが地上または固定式である場合、第１の端末および別の端末はまた、地上電話でもコードレス電話でもよい。この場合、第１の端末は位置ＰＯＳを有し、（矢印で示される）速度ＳＰで移動しており、このことは本発明の一部の変形形態で使用される。
【００５８】
第１の通信ネットワークＮ１内には、この場合Ｐ−ＣＳＣＦ（プロキシ呼セッション制御機能）の形の第１のネットワーク制御ノード１４、およびこの場合Ｓ−ＣＳＣＦ（サービング呼セッション制御機能）の形の第２のネットワーク制御ノード１６がある。
【００５９】
第１のネットワークＮ１内には、この場合さらに移動性データ収集ノードＭＤＣ１５、およびプレゼンスサーバＰＳ１７の形の通信状況データ記憶ノードがある。これらのノードは、両方とも通信状況データ提供ノードの例である。
【００６０】
第２のネットワークＮ２には、第２の当事者に関連し、第２のネットワークＮ２に接続される第２の端末２４が接続される。この端末は、ユーザ端末、たとえば固定電話またはコードレス電話でもよい。しかし、第２の端末２４はまた、コンピュータでもよく、第２のネットワークＮ２がセルラである場合には携帯電話でもよい。
【００６１】
第２の通信ネットワークＮ２内には、この場合も同様にＰ−ＣＳＣＦの形の第３のネットワーク制御ノード２２、およびこの場合も同様にＳ−ＣＳＣＦの形の第４のネットワーク制御ノード１８がある。
【００６２】
この第２のネットワークＮ２では、第４のネットワーク制御ノード１８は、本発明の第１の実施形態による当事者チャレンジ装置でもある。第２のネットワークＮ２内には、第４のネットワーク制御ノード１８が通信しているチャレンジ生成ユニット２０がさらにある。
【００６３】
図１には、いくつかの電子メッセージが示されている。まず第一に、電子的招待メッセージＩＭの形の第１の電子メッセージが、第１の端末１０から第１のネットワークＮ１に転送される。この電子的招待メッセージＩＭは、第１の基地局１３でネットワークにより受信され、第１のネットワーク制御ノード１４に転送される。第１のネットワーク制御ノード１４から、電子的招待メッセージＩＭは、第２のネットワーク制御ノード１６に転送され、第２のネットワーク制御ノード１６から第４のネットワーク制御ノード１８に転送される。通常、電子的招待メッセージＩＭは、第４のネットワーク制御ノード１８から第３のネットワーク制御ノード２２にさらに転送され、第３のネットワーク制御ノード２２から第２の端末２４に転送され、その時点で通常、第２のユーザは、招待を通知される（たとえば彼／彼女の電話が「鳴る」）。しかし、本発明では、招待メッセージ転送は、好ましくは、招待をさらに転送する前に、第４のネットワーク制御ノード１８により受信されたときに一時停止される。
【００６４】
したがって、第４のネットワーク制御ノード１８は、招待転送を一時停止するように構成され、チャレンジのための要求ＲＣＨ（ＣＭＴ１）をチャレンジ生成ユニット２０に送信し、同じユニット２０から第１のチャレンジＣＨ１を受け取るようにさらに構成され、次いで、そのチャレンジＣＨ１は、第４のネットワーク制御ノード１８から第２のネットワーク制御ノード１６に電子的チャレンジメッセージＣＨＭの形で送信されている。次いで、この電子的チャレンジメッセージＣＨＭは、第２のネットワーク制御ノード１６から第１のネットワーク制御ノード１４に送信され、そこから第１の基地局１３を介して第１の端末１０に送信される。第１の端末１０から、電子的応答メッセージＲＭが、第１の基地局１３、ならびに第１のネットワーク制御ノード１４および第２のネットワーク制御ノード１６を介して、第４のネットワーク制御ノード１８に送信される。この通信はすべて破線矢印で示されている。第４のネットワーク制御ノード１８は電子的応答メッセージＲＭを分析し、上記で説明されたように前に一時停止された招待メッセージの転送を再開すべきかどうか、または別の動作をとるべきかどうかを決定する。このことは後でより詳細に説明される。
【００６５】
図２は、本発明の第１の実施形態による第４のネットワーク制御ノード１８の構成図を示し、したがって、この場合、このノードは、当事者チャレンジ装置を実現する。第４のネットワーク制御ノード１８は、第１のネットワークの内外と通信するための通信インタフェースＣＩ２８を含む。インタフェース２８は、標準化されたコンピュータ通信プロトコル、たとえばＴＣＰ／ＩＰを使用して通信するための通信インタフェースでもよい。
【００６６】
通信インタフェース２８は、通常のＳ−ＣＳＣＦ機能を処理するために提供されるＳ−ＣＳＣＦユニット３０にと同様にチャレンジ提供ユニットＣＰＵ２６にも接続される。
【００６７】
図３には、本発明の第１の実施形態で使用される招待メッセージＩＭが概略示されている。招待メッセージＩＭは、いくつかのフィールドを含み、フィールドにはメッセージタイプ標識を含む第１のメッセージタイプフィールドＭ−ＴＹＰＥがある。この場合、この標識は、メッセージが、当事者が通信セッションに加わる招待メッセージであることを示すＩである。次いで、アドレスＡ２を含む宛先アドレスフィールドＤＥＳＴが続く。このアドレスはこの場合、第２の端末のアドレスである。この場合、第１の端末のアドレスであるアドレスＡ１を含むソースアドレスフィールドＳＯＵＲＣＥもある。最後に、図３は、セッション記述フィールドＳＤを示す。招待メッセージはまた、当然、別のフィールドも含む。しかし、これらは、本発明のこの第１の実施形態では、なぜ省かれるかには関心がない。一実施形態では、招待メッセージは、セッション開始プロトコル（ＳＩＰ）に基づき、セッション記述はセッション記述プロトコル（ＳＤＰ）に基づく。
【００６８】
図４は、ＳＤフィールドの一部の内容をさらに概略示す。ＳＤフィールドには、この場合、音声呼出セッション、映像セッションなどの指示でもよい、通信セッションの第１のタイプＴ１の標識を含むセッションタイプサブフィールドＳＥＳＳＩＯＮ＿ＴＹＰＥがある。ＳＤフィールドには、さらにコーディング標識Ｃ１を含むコーディングサブフィールドＣＯＤＩＮＧがあり、このＣ１は、通信セッション内のデータに対してどのタイプのコーディングが使用されるかを、たとえば特別なタイプの音声または映像のコーディングを示す。
【００６９】
図５は、本発明の第１の実施形態による電子的チャレンジメッセージＣＨＭを概略示す。この場合、電子的チャレンジメッセージは、アドレスＡ１、すなわち第１の端末のアドレスを含む宛先アドレスフィールドを含む。この場合、第４のネットワーク制御ノードのアドレスであるアドレスＡ３を含むソースアドレスフィールドもある。最後に、電子的チャレンジメッセージＣＨＭには、チャレンジＣＨ１が提供されるペイロードがある。
【００７０】
ここで、第１の実施形態による本発明の機能が、これまで説明された図１から図５と同様に、本発明の第１の実施形態に従ってチャレンジを決定するための方法で実行されているいくつかの方法ステップの流れ図を示す図６を参照して説明される。
【００７１】
本発明の第１の実施形態が、第１の端末から第２の端末へのメディアの転送に関する第１の電子メッセージに関して説明される。この場合、第１の電子メッセージは、メディア転送の開始に関係があることがあり、このメッセージは、第１の実施形態では、通信セッションに加わる招待を提供する電子的招待メッセージである。
【００７２】
すべては、第１の端末１０と関連付けられる第１の当事者が、第２の端末２４に関連する第２の当事者と通信セッションを開始することを望むことで始まる。したがって、第１の当事者は、第１の端末１０に、通信セッションに従事するために招待を第２の当事者の第２の端末２４に向けて送信させることができ、この招待は、本発明の第１の実施形態では、ＳＩＰ（セッション開始プロトコル）のＩｎｖｉｔｅメッセージで送信されている。したがって、この場合、メッセージは通信セッションに従事するための招待を含む電子的招待メッセージである。
【００７３】
この場合、第２の当事者の観点から、第１の端末１０に関連する第１の当事者または通信イニシエータは、彼または彼女にと同様に第２のネットワークＮ２にとっても決定されていない。したがって、第１の当事者または通信イニシエータは、知られていて信頼できる当事者ではないことがある。したがって、第１の当事者は、第２の当事者が通信することに興味があり得るだれかであることがある。しかし、この当事者は、等しく同様に、第２の当事者が、通信セッションに従事することを望まない当事者でもあり得る。この当事者はスパマまたは何らかの別の望ましくない当事者であり得る。
【００７４】
したがって、第１の端末１０内で生成される招待は、第２の当事者に関連する第２の端末２４にアドレス指定され、次いで、この第１の端末から第１のネットワークＮ１内の第１の基地局１３を介して第１のネットワーク制御ノード１４にＳＩＰのＩＮＶＩＴＥメッセージとしてＩＭを送信し、この第１のネットワーク制御ノード１４は、ＳＩＰのＩＮＶＩＴＥメッセージを招待メッセージと識別して、ＳＩＰのＩＮＶＩＴＥメッセージを第２のネットワーク制御ノード１６に転送する。第２のネットワーク制御ノード１６は、メッセージタイプを精査し、メッセージタイプが第２の端末２４に向けて意図されていることを理解し、このメッセージタイプは、第２のネットワークＮ２により処理される。第２のネットワークＮ２内のこの第２の端末２４に関連する通信は、第４のネットワーク制御ノード１８により処理される。したがって、第２のネットワーク制御ノード１６は、招待メッセージＩＭを第４のネットワーク制御ノード１８に転送する。この場合、メッセージＩＭは、通信インタフェース２８を介して、この第４のネットワーク制御ノード１８で受信される。この場合、招待メッセージＩＭは、Ｓ−ＣＳＣＦユニット３０に、またはチャレンジ提供ユニット２６に送信されることができ、これらのどちらかが、招待メッセージＩＭが最初に検査される、権限のある第１の当事者のデータベースを提供される。メッセージが、権限のある当事者からのものである場合、Ｓ−ＣＳＣＦユニット３０はメッセージを処理し、ＳＩＰプロトコルによる通常のやり方でメッセージを処理する。この権限付与検査は、本発明の一部ではないが、説明の完全さのために含まれる。いずれの場合も、決定されない当事者からのメッセージが、権限のある当事者からでない場合、チャレンジ提供ユニット２６により処理されるべきである。
【００７５】
第１の当事者に権限がない場合、第１の当事者はチャレンジを受け取るべきであり、そのチャレンジは、第２の当事者が通信セッションへの招待を受け入れる当事者のグループの中に第１の当事者がいることを確立することに向けられる。このグループは、すべての人間を含むほど、すなわち、たとえばスパマからの通信だけを回避するために大きくなることができる。しかし、グループはより小さなグループ、たとえば会社に属する人、特定の国籍の人、共通の文化またはスポーツの関心を有する人などとすることができる。
【００７６】
この例では、招待メッセージＩＭは、権限のある当事者からのものではなく、したがって、招待メッセージＩＭは、チャレンジ提供ユニット２６により処理される。
【００７７】
したがって、チャレンジ提供ユニット２６は、ステップ３２で、招待メッセージを受け取り、先に進み、ステップ３４で、第１の当事者に関連する通信状況データを得る。この第１の実施形態では、通信状況データは、招待メッセージ自体の中に、およびＳＤフィールド内に含まれる。このデータは、より詳細にはサブフィールドＳＥＳＳＩＯＮ＿ＴＹＰＥおよびＣＯＤＩＮＧ内に提供される。このサブフィールド内のデータは、セッションタイプ識別データ、すなわち第１の当事者が第２の当事者と従事することを望む通信セッションのタイプを識別するデータを作り上げる。したがって、チャレンジ提供ユニット２６は、サブフィールドＳＥＳＳＩＯＮ＿ＴＹＰＥおよびＣＯＤＩＮＧを精査する。ＳＥＳＳＩＯＮ＿ＴＹＰＥサブフィールドから、チャレンジ提供ユニット２６は、第１の当事者がどのタイプのセッションに従事することを望むか、たとえば音声呼出セッションか、または映像セッションかを示すセッションタイプ標識Ｔ１を取り出す。ＳＩＰ／ＳＤＰでは、このＴ１は、Ｔ１＝ａｕｄｉｏ  ４９０００  ＲＴＰ／ＡＶＰ  ９８のように見えることがある。この例では、「ａｕｄｉｏ」という設定が、望まれているのは、音声セッションであることを明白に示す。このことは、ＣＯＤＩＮＧサブフィールドを精査することにより確認され、この場合ＣＯＤＩＮＧサブフィールドは、Ｃ１＝ｒｔｐｍａｐ：９８  ＡＭＲ／８０００のようなコーディング設定を有することがあり、ここでＡＭＲは、よく知られた音声コーディング技法である適応マルチレート（Ａｄａｐｔｉｖｅ  Ｍｕｌｔｉｒａｔｅ）を意味する。
【００７８】
したがって、この例から、第１の当事者は、音声通信セッションに従事することを望むということが得られることができる。代わりにＨ２６１のＣＯＤＥＣを使用する映像（のみの）呼出が、以下のように、すなわち、Ｔ２＝ｖｉｄｅｏ  ５２２３０  ＲＴＰ／ＡＶＰ  ３１、Ｃ２＝ｒｔｐｍａｐ：３１  Ｈ２６１／９００００のように見えることがあり、ここでＨ２６１は、よく知られた映像コーディングプロトコルである。
【００７９】
次いで、この状況データに基づいて、チャレンジ提供ユニット２６は、ステップ３６で、チャレンジメッセージタイプＣＭＴを決定する。したがって、チャレンジ提供ユニット２６は、チャレンジメッセージタイプ、すなわち画像として、音声として、映像として、テキストとして、またはそれらの組合せでもよい、チャレンジが提示される形式を決定する。したがって、チャレンジメッセージタイプはまた、どのタイプのメディアがチャレンジとして使用されるべきかを示すことと理解される。この場合、第１の当事者は、音声セッションがセットアップされることを望んだので、このときチャレンジ提供ユニット２６は、チャレンジがこの場合、音声である第１のチャレンジメッセージタイプＣＭＴ１のチャレンジであるべきことを、すなわち画像、テキスト、または映像は使用されるべきでないことを決定する。タイプが映像であった場合、実際には、映像以外の別のチャレンジメッセージタイプを選択することができる。たとえばテキストまたは画像を選択することができる。
【００８０】
その後、チャレンジ提供ユニット２６は、得られた通信状況データに基づく電子的チャレンジメッセージを提供し、チャレンジ提供ユニット２６は、このことをチャレンジ生成ユニット２０に接続することにより行う。したがって、チャレンジ提供ユニット２６は、ステップ３８で、識別されたチャレンジメッセージタイプＣＭＴ１のチャレンジの要求ＲＣＨを送信する。この要求ＲＣＨ（ＣＭＴ１）は、通信インタフェース２８を介してチャレンジ生成ユニットＣＨＧ２０に送信される。
【００８１】
次いで、チャレンジ生成ユニット２０は、音声チャレンジを生成することができ、このチャレンジは、たとえば知られた音源を識別するように、または話された文の「語議上の」意味を要約するよう受信者に求める音声を使う「コンピュータと人間を区別する完全に自動化された公開チューリングテスト」（ＣＡＰＴＣＨＡ）タイプでもよい。映像セッションの場合、チャレンジタイプは画像、たとえばゆがんだ文字を含む画像でもよい。この理由のために、チャレンジ生成ユニット２０は、様々なタイプのチャレンジを含むデータベースを含み、要求されるタイプに従って１つを選択することができる。本発明のこの第１の実施形態では、チャレンジは、知られた原理に従って生成されることができ、チャレンジに対する解答を伴うことができる。
【００８２】
この場合、特別なグループ、たとえば国籍に関連するチャレンジが、「あなたの国の国旗を指し示しなさい」、「この地図上であなたの祖国がどこかを示しなさい」という指示として提供される。しかし、チャレンジはまた、国籍がスペインである場合にはスペイン語で「Ｓｅｎａｌａ  ｅｌ  ｐｌａｔｏ  ｆａｖｏｒｉｔｏ  ｄｅ  ｔｕ  ｐａｉｓ」のように見える「あなたの祖国のお気に入りの料理に目印を付けなさい」のような言葉で行われる指示のような何かとすることができる。最初の２つのチャレンジは、典型的には視覚的であるが、最後は視覚と音声の両方となることがある。第１の当事者があるロックグループのファンであると推定される場合、第１の当事者が歪んだ音楽クリップを聞いて、音楽が前記ロックグループにより最初に録音された曲のカバーバージョンであるかどうかを答えるように求められることにより、文化的チャレンジが提供される。
【００８３】
このために、チャレンジ生成ユニット２０は、第１の当事者がアクセスできない第２の当事者の個人データへアクセスできることがある。この場合、第２の当事者は、チャレンジを生成するために個人データをこのように使用することに同意を与えたものと推定される。
【００８４】
次いで、チャレンジＣＨ１は、通信インタフェース２８を介してチャレンジ提供ユニット２６に送信される。
【００８５】
したがって、チャレンジ提供ユニット２６は、ステップ４０で、チャレンジＣＨ１を受け取る。この場合、チャレンジ提供ユニット２６はまた、チャレンジに対する解答も受け取ることがある。次いで、チャレンジ提供ユニットは先に進み、ステップ４２で、電子的チャレンジメッセージＣＨＭでチャレンジを送信する。このとき、チャレンジは、解答、または解答が一意でない場合に１組の受け入れられる解答を伴うことがある。
【００８６】
この場合、チャレンジは、ＳＩＰに関連して、呼をセットアップする前に、たとえばサービス品質（ＱｏＳ）を確保するために使用されることが意図されるＳＩＰプレコンディションの仕組みを使用することにより提供される。したがって、本発明の第１の実施形態では、この仕組みは、通信セッションのセットアップを進行する前に、チャレンジを送信するために使用される。
【００８７】
したがって、電子的チャレンジメッセージＣＨＭは、招待メッセージＩＭに対するＳＩＰプレコンディション応答として提供され、チャレンジ、および多分同様に解答も含むことができる。このメッセージＣＨＭは、第２のネットワーク制御ノード１６に送信され、第２のネットワーク制御ノード１６は、メッセージＣＨＭの受領を通知することができる。その後、電子的チャレンジメッセージＣＨＭは、第１の当事者による受領のために、第１のネットワーク制御ノード１４および第１の基地局１３を介して、第２のネットワーク制御ノード１６から第１の端末１０に送信される。解答も送信される場合、電子的チャレンジメッセージＣＨＭは、第１の端末１０に到達するのではなく、第２のネットワーク制御ノード１６内にとどまる。
【００８８】
第１の当事者は応答を促され、次いで、同じ方法で第４のネットワーク制御ノード１８に向けて戻る電子的応答メッセージＲＭとして送信される、チャレンジに対する応答を生成する。したがって、電子的応答メッセージＲＭは、第１の基地局１３および第１のネットワーク制御ノード１４を介して、第２のネットワーク制御ノード１６に送信される。この場合、第２のネットワーク制御ノード１６は、チャレンジが正しく答えられたか、または答えられないことを確認する、すなわち応答を解答と比較し、次いで第４のネットワーク制御ノード１８に、応答が正しいことまたは正しくないことを通知することができ、このことは、通信インタフェース２８を介してチャレンジ提供ユニット２６により受信されるＳＩＰのＵＰＤＡＴＥメッセージを使用して行われることができる。回答が正しい場合、チャレンジ提供ユニット２６は、第２のネットワーク制御ノード１６に通知し、このノードは、たとえばＳＩＰのＲＩＮＧＩＮＧメッセージを第２のネットワーク制御ノード１６に送信することにより従来のセッション警報動作を進行し、その時点で警報が開始される。
【００８９】
あるいは、電子的応答メッセージＲＭは、通信インタフェース２８を介して第４のネットワーク制御ノード１８のチャレンジ提供ユニット２６に転送される。したがって、この方法では、チャレンジ提供ユニット２６は、ステップ４４で、電子的応答メッセージを受け取る。次いで、このユニット２６は、応答を解答と比較することができる。チャレンジ提供ユニット２６がまだ解答を有しない場合、チャレンジ生成ユニット２０から解答を取り出すことができる。あるいは、チャレンジ提供ユニット２６は、解答をチャレンジ生成ユニット２０に転送することができ、次いで、チャレンジ生成ユニット２０は、応答を確認し、チャレンジ提供ユニット２６に結果を通知する。
【００９０】
この場合、電子的応答メッセージ（ＲＭ）内の回答の正しさに基づいて、チャレンジ提供ユニット２６は、招待メッセージを処理する方法に関して決定を行うことができる。したがって、チャレンジ提供ユニットは、ステップ４６で応答を分析し、応答が正しい場合、チャレンジ提供ユニット２６は、正しい応答に対して提供されるポリシ規則に従って招待メッセージを処理する。このことは、Ｓ−ＣＳＣＦユニット３０にそのようなメッセージの通常の処理に従って招待メッセージを処理させる、すなわち招待処理を再開させることにより行われることができる。この例では、このことは、ステップ４８で、セッションが、招待メッセージＩＭが、第３のネットワーク制御ノード２２を介して、第２の端末２４に転送される理由を設定されることができるようにすることを伴う。この場合、正しい処理は、たとえば音声メールボックスへの進路変更、または第２の当事者により決定された、セッションの何らかの別の処理を含むことができることが理解されるべきである。しかし、応答が正しくない場合、チャレンジ提供ユニット２６は先に進み、不正確に答えられたチャレンジの処理のために設定された規則に従って招待を処理する。第１の当事者は、たとえばセッションに従事する代わりに音声メールボックスに接続される。しかし、セッションが許可されないこともあり得る。ここで示される例では、セッションは、ステップ５０で許可されず、このことは、電子的ビジーメッセージ、または失敗したセッションセットアップに対する何らかの別のタイプの電子的応答メッセージを送信することにより行われることができる。
【００９１】
この方法では、第２の当事者が、通信セッションへの望ましくない招待により悩まされることが回避することができる。また、第２の当事者が無線アクセス技術を使用している場合、貴重な無線資源が節約される。さらに、第２の当事者は、彼自身または彼女自身をチャレンジの生成にさらに関係させる必要がない。さらに、このことが行われる間、送信されるチャレンジのタイプの適合が、チャレンジに応答することができる第１の当事者のケイパビリティに対して行われる。このことは、権限のある第１の当事者が、通信セッションをセットアップするのに実際に成功する確率を高める。たとえば第１の当事者に視覚障害または聴覚障害がある場合、正直な第１の当事者が理解することが最も成功しそうなタイプであるチャレンジを提供することによりこの事実に適合することができる。たとえば第１の当事者が音声セッションに従事することを望む場合、音声のチャレンジを理解することができ、映像セッションが望まれる場合、視覚のチャレンジを理解することができる。
【００９２】
本発明の第１の実施形態では、第４のネットワーク制御ノード１８が、当事者チャレンジ装置の役割を果たした。このことは、この装置の１つの可能な配置でしかない。当事者チャレンジ装置は、たとえば第２のユーザ端末により、または第１もしくは第２のネットワーク内の別のネットワークノードにより提供される。当事者チャレンジ装置は、たとえば第２のネットワーク内のアプリケーションゲートウェイにより、または第１のネットワーク内のネットワークノード、たとえば第２のネットワーク制御ノードによってさえ実現される。
【００９３】
したがって、第２のネットワーク制御ノードが、当事者チャレンジ装置の役割を果たしている場合、第２のネットワーク制御ノードは、第１の端末から招待を受け取り、次いで、チャレンジを含むメッセージを使用して、たとえばＩＥＴＦによるＨＴＴＰ  ４ｘｘシリーズで応答する。したがって、招待に対するこの応答は、第２のネットワーク制御ノードから第１の端末に送信される。次いで、チャレンジに対する応答が第２のネットワーク制御ノードにより受信されたとき、第２のネットワーク制御ノードはこのとき上記で説明される原理に従って招待の処理に関して決定する。
【００９４】
上記で示される例では、通信状況データは、実際の招待メッセージ内に含まれていた。この場合、通信状況データは、これに限定されないことが理解されるべきである。
【００９５】
第１または第２のネットワークは、たとえば、第１の当事者／端末に関連する通信状況データを、第１の当事者／端末に関連する呼のレコード、または呼の履歴データの形で含むネットワークデータベースの形の通信状況データ記憶ノードを含むことができる。またこの場合、使用されるチャレンジのタイプ、および第１の当事者がこれらのタイプのチャレンジにどのようにうまく応答したかが記憶される。次いで、当事者チャレンジ装置のチャレンジ提供ユニットは、第１の端末から招待メッセージを受け取るとき、このデータベースにアクセスし、第１の当事者が以前に正しい答えを提供したタイプのチャレンジを選択することができる。このことは、そのようなうまく答えられたチャレンジに従う通信セッションが、一定の時間制限を超過するかどうかについての精査とさらに組み合わせられることができる。このとき、時間制限の超過は、第１の当事者が、第２の当事者が連絡をとることに関心がある当事者であることを示す。このネットワークデータベースは、第１または第２のネットワーク内に提供される。
【００９６】
しかし、第１の当事者が、チャレンジに関連して使用するために別のタイプの通信状況データを提供することも可能なことがある。そのようなデータは、チャレンジ優先データ、たとえば優先指示、すなわち第１の当事者が第１の端末を介して受け取ることを望むチャレンジのタイプの指示でもよい。第１の当事者はまた、別の優先を提供することができる。通信状況データはまた、第１の端末のチャレンジ提示ケイパビリティ規定データ、すなわち第１の端末のチャレンジ提示ケイパビリティを規定するデータとすることができる。このことは、通信状況データ、たとえば第１の端末の様々なケイパビリティを提供することを伴う。チャレンジ提示ケイパビリティ規定データは、端末が移動式か固定式か、端末がスピーカ、表示装置、または振動器を含むかどうかのような、端末がどのチャレンジ提示ユニットを含むのか、端末がどのチャレンジ応答入力受信ユニットを、たとえばキーボード、キーパッド、マイクロホン、およびカメラを含むのかどうかのようなものを規定するデータを含むことができる。この場合、チャレンジ提示ケイパビリティ規定データはまた、そのようなユニットの特性、たとえば表示装置のサイズおよび解像度を指定することができる。通信状況データはまた、別のケイパビリティ、たとえばジャイロ、加速度計、およびＧＰＳ位置決めユニットのような移動性データ収集ユニットについて通知することができる。この場合、チャレンジ提示ケイパビリティ規定データはまた、第１の当事者にリンクされる別の端末１２、たとえば図１の別の端末１２の上述のタイプのデータを含むことができる。
【００９７】
通信状況データの上記で説明されるタイプのすべてまたは一部は、本発明の一変形形態では、第１のネットワーク内のプレゼンスサーバの形の通信状況データ記憶ノード上に第１の端末に対して登録される。そのような１つのプレゼンスサーバ１７が図１の第１のネットワークＮ１内に含まれる。第１の端末１０は、たとえば「プレゼンス情報データフォーマット（ＰＩＤＦ）に対するユーザエージェントケイパビリティ拡張」を使用してＳＩＰベースのＰＲＥＳＥＮＣＥ（ＳＩＭＰＬＥ）を使用し、プレゼンスサーバ１７上にそのようなケイパビリティを登録することができる。第１の当事者がこの方法で通信セッション状況データを登録し、その後、第２の端末２４行きの招待メッセージを送信する場合、このシナリオの一変形形態では当事者チャレンジ装置を実現する第２のネットワーク制御ノード１６は、登録されたデータを得るためにプレゼンスサーバ１７に接続し、登録されたデータの分析に基づいてチャレンジのタイプを決定し、次いで、精査により決定されるタイプのチャレンジを送信することができる。登録されたデータが優先指標、すなわち好ましいチャレンジタイプの指示を含んでいた場合、この優先指標が使用される。登録されたデータがチャレンジ提示ケイパビリティ規定データを含む場合、このケイパビリティにより規定される、チャレンジ提示ユニットによりサポートされるタイプの適切なチャレンジメッセージタイプが送信される。
【００９８】
この方法では、たとえば、第１の端末に表示装置がないかどうかを知ることができ、その場合、典型的には音声チャレンジが選択される、または第１の端末にスピーカがない場合、その場合、静止画像チャレンジが選択される。
【００９９】
第１の端末のケイパビリティが登録されたこのシナリオの一変形形態では、第４のネットワーク制御ノードが、当事者チャレンジ装置を実現することができる。この場合、第１の端末のケイパビリティは通常、第１のネットワーク内だけで知られている。しかし、この変形形態によれば、ケイパビリティは、招待メッセージと一緒に第２のネットワーク制御ノードから第４のネットワーク制御ノードに転送されることができ、そのとき、第４のネットワーク制御ノードは、受信された端末ケイパビリティに基づいてチャレンジを生成する、またはチャレンジ生成ユニットからチャレンジを取り出すことになる。
【０１００】
チャレンジを提示する第１の端末のケイパビリティは、表示装置のサイズおよび解像度のような、チャレンジ提示ユニットの特性を指定するデータをさらに含むことができる。このために、当事者チャレンジ装置により送信される電子的チャレンジメッセージは、実際のチャレンジと同様に、チャレンジがどのように提示されるべきかに対する設定の両方を含むことができる。本発明による電子的チャレンジメッセージＣＨＭ′が、図７に概略示され、選択されたチャレンジＣＨ１の他にメッセージはまた、チャレンジがどのように提示されるべきかに対する設定Ｓを含む。このことは、当事者チャレンジ装置のチャレンジ提供ユニットは、まずこれまでの基準に基づいてチャレンジＣＨ１を選択し、次いで、第１の端末のチャレンジ提示ケイパビリティに適合される設定、たとえば表示装置のようなチャレンジ提示ユニットに関連する設定を提供することになることを意味する。このとき、これらの設定は、電子的チャレンジメッセージＣＨＭ′内にチャレンジＣＨ１と一緒に含まれることになる。次いで、電子的チャレンジメッセージＣＨＭ′を受信したとき、第１の端末は、受信された設定Ｓに従って特定のチャレンジ提示ユニットを介してチャレンジを提示することができる。この方法では、たとえば、チャレンジが表示装置の一部に、または一対のステレオスピーカの一方のスピーカに提示される。
【０１０１】
そのようなケイパビリティが、第１の端末により提供されることができる別の方法がある。これらのケイパビリティは、クッキーとして第１の端末内に記憶され、次いで、要求されたとき、または招待メッセージを送信する一部として、当事者チャレンジ装置に提供される。そのようなクッキーはまた、ネットワークノード内にケイパビリティまたは優先を登録することに関連して使用される。
【０１０２】
通信状況データは、第１の端末の移動性データ、すなわち第１の端末の移動に関連するデータ、たとえば図１に示されるような位置データＰＯＳまたは移動データ、たとえば速度ＳＰをさらに含むことができる。このとき、第１の端末１０に関連して収集される移動性データはまた、チャレンジのタイプを選択するために使用される。
【０１０３】
たとえば、第１の当事者の時間移動性について第１のデバイスの位置をいくつかの「測定」を行うことにより、第１の当事者の移動性が位置、方向、および速度に関して推定される。
【０１０４】
この移動性データを使用する目的は、たとえば、第１の当事者が高速で車を運転している場合、注意をそらす視覚のチャレンジを回避するために、「移動中」の第１の当事者にアクセスできるチャレンジを選択することとすることができる。第１の当事者が実際に車を運転しているか、列車またはバスのような公共輸送乗り物で移動しているかを区別することができる。たとえば、公共輸送乗り物が乗り物識別を提供するときに近距離場通信（ＮＦＣ）および／または無線認証（ＲＦＩＤ）タグを使用することができ得る。このとき、この識別はそのようなタグに適したセンサ、たとえばＮＦＣおよび／またはＲＦＩＤのセンサを使用して第１の端末により検出される。次いで、第１の端末（または第１のネットワーク）は、当事者チャレンジ装置に乗り物の識別と一緒に位置および／または速度のデータを提供することになる。次いで、当事者チャレンジ装置は、たとえば速度を速度しきい値と比較し、高速で移動する端末が、第１の当事者が車を運転していることを示すことができるので、典型的には音声のチャレンジである第１のチャレンジタイプを仮に選択することができる。次いで、このことが、第１の端末が優れた映像提示ケイパビリティを装備される場合でも、音声のチャレンジを選択するために使用される。次いで、当事者チャレンジ装置は、何らかの乗り物の識別が存在するかどうか精査することができ、そのような識別が存在する場合、当事者チャレンジ装置は別のタイプのチャレンジ、たとえば画像のチャレンジを選択する決定をすることができる。
【０１０５】
本発明の一実施形態では、この移動性データは、第１の端末自身により収集される。この場合、位置データは位置決めユニット、およびジャイロを使用する移動を使用する第１の端末により収集される。移動データはまた、位置データにより、たとえば第１の端末がいくつかの最近占有されたタイムスタンプを押された位置を提供することにより得られることができる。次いで、データは、通信セッションへの招待と一緒に送信される。第１の端末はまた、ネットワークノードまたは当事者チャレンジ装置から要求があったときにそのようなデータを提供することができる。
【０１０６】
このとき、第１のネットワークがセルラネットワークである場合、移動性データは、ネットワークにより収集されることができることが理解されるべきである。ネットワークノードが、たとえば第１の端末に関する無線ネットワーク測定、たとえば基地局間の三角測量を使用して、またはセル識別を使用して、第１の端末の位置を収集するように構成される。このとき、様々な時点での位置が移動データを得るために使用される。次いで、当事者チャレンジ装置は、ネットワークノードに接続し、セッションへの招待を受け取ったときに、そのような移動性データを取り出すことができる。移動性データ収集ノード１５の形のそのようなネットワークノードが図１に示されている。移動性データが、ネットワークＮ１自身により提供されるとき、詐欺的な第１の当事者／端末が、たとえば自分の所在または移動に関して虚偽のデータを提供しようとすることができるので、第１の端末１０自身が自分の位置を提供する場合と比べて正しさにおいてより高い確実性が達成されることに留意されたい。
【０１０７】
さらに、第１の当事者は、別の端末、たとえば直接にまたはセットトップボックスを介して第１のネットワークと通信することができるテレビジョン受信機を装備される。そのような装置１２が、図１に示されている。この別の端末１２は、通信ネットワークへの別個の通信チャネルを有することができる。この場合、第１の端末１０は、たとえばセッションへの招待を送信するとき、このチャネルおよび別の端末に関するデータ（たとえば別の端末のネットワークアドレス）を当事者チャレンジ装置に供給することができる。したがって、通信状況データは、別の端末１２への別個の通信チャネルを識別するデータを含むことができる。次いで、当事者チャレンジ装置は、チャレンジの一部を第１の端末に、およびチャレンジの一部を別の端末に送信することができる。このことは、別の端末が、チャレンジの少なくとも一部を受け取り、それを提示することができるようにする。この方法では、別の装置が、改良された提示ケイパビリティを有するので、たとえばより高い解像度を有する視覚のチャレンジを提示することができる。この方法はまた、第１の端末に表示装置がない場合、視覚のチャレンジの提供を可能にする。
【０１０８】
ここまでは、本発明が主にチャレンジのタイプを選択することに関して説明された。しかし、通信状況データはまた、チャレンジの内容、すなわちチャレンジ内に提供される情報に影響を及ぼすことができる。
【０１０９】
たとえば第１の端末に関して収集された移動性データが、当事者チャレンジ装置に送信される場合、この当事者チャレンジ装置は、収集された移動性データに基づく内容または情報を有するチャレンジを発行することができる。したがって、当事者チャレンジ装置は、収集された移動性データに基づいて電子的チャレンジメッセージ内に含ませる情報を選択することができる。そのような情報ＩＮを有するチャレンジＣＨ１′が、図８に概略示されている。たとえば位置が当事者チャレンジ装置により受信される場合、当事者チャレンジ装置は、この位置に基づくチャレンジを発行することができる。
【０１１０】
第１の当事者は、たとえば推定される位置での何らかの知られた特徴的な建物または地質学的形成物を説明するよう求められることがある。
【０１１１】
このため、当事者チャレンジ装置は、ある位置の物理的に固定された物体が「建物」、「山」、「川」などとして、またはより具体的に「教会」、「鉄道の駅」などとして分類された地質学的情報分類データベースにアクセスできることがあり、このとき、当事者チャレンジ装置は、
「何が見えますか？
ａ）教会
ｂ）川
ｃ）山
ｄ）鉄道の駅」
のような多数の選択肢からなる問いを第１の当事者に提示することができる。
【０１１２】
この場合、次いで、第１の当事者はこれらの選択肢の１つを応答として選択しなければならず、次いで、応答は、当事者チャレンジ装置に送信されることになる。さらに同様に、第１の当事者に、移動性データ収集ユニット、たとえばジャイロ、加速度計、または位置決めユニットを使用することにより、チャレンジに応答させることができる。第１の端末が、たとえばジャイロを含む場合、チャレンジは第１の端末を上下に振ることとすることができる。次いで、ジャイロにより検出された移動データが、チャレンジに対する応答として提供される。
【０１１３】
上記で説明される、当事者チャレンジ装置に提供される機能の変形形態が、すべてこの装置のチャレンジ提供ユニット内に実現されることができることが理解されるべきである。この場合、この装置はまた、チャレンジ生成ユニットを含むことができる。当事者チャレンジ装置は、ネットワーク制御ノード内に提供される必要はないが、別個のネットワークノードとして提供される。さらに、当事者チャレンジ装置は、これまで説明された通信状況データ提供ノードの１つの中に提供され、それと組み合わせられることができる。チャレンジ提供装置は特に、移動性データ収集ノードについて上記で説明される移動性データ収集機能を提供するように構成される移動性データ収集ユニットを含むことができる。
【０１１４】
上記で、本発明が、通信セッションへの招待メッセージである第１の電子メッセージについて説明された。しかし、本発明は、このタイプの第１の電子メッセージに限定されるのではなく、別のタイプの第１の電子メッセージに対して適用することができる。第１の電子メッセージは、むしろ第１の端末から第２の端末へのメディアの所望の転送に関係があるメッセージである。第１の実施形態では、第１の電子メッセージは、通信セッションに加わるための招待メッセージであった。転送されるメディアは、この場合そのようなセッションが継続しているときに、当事者間で実際のセッションの間に転送されている音声、映像、画像、およびテキストのようなメディアである。しかし、第１の電子メッセージが電子メール、ＳＭＳ、ＭＭＳ、またはインスタントメッセージングのメッセージのようなメッセージングアプリケーションによるメッセージである場合、転送されるメディアは、メッセージ自体の中に含まれるメディア、たとえばテキスト、映像、画像、または音声クリップである。
【０１１５】
当事者チャレンジ装置は、チャレンジ提供ユニットの機能、およびチャレンジ生成ユニットが含まれる場合にはその機能を実行するためのコンピュータプログラムコードを含む関連するプログラムメモリを有するプロセッサの形で有利に提供される。コンピュータプログラムコードは純粋なコンピュータプログラムコードでもよい。このことが、コンピュータプログラム５２を示す図９に概略示されている。このコンピュータプログラム５２は、図２に描かれるチャレンジ提供ユニットの機能を実現するコンピュータプログラムコード、または命令ＩＮＳＴＲを含むチャレンジ提供関数（ＣＨＡＬＬＥＮＧＥ  ＰＲＯＶＩＤＩＮＧ  ＦＵＮＣＴＩＯＮ）と名付けられるコンピュータプログラムモジュールを含む。
【０１１６】
コンピュータプログラムコードはまた、コンピュータ上にロードされたときに上記で説明される１つまたは複数のユニットの機能を実現する、たとえば、ＣＤ  ＲＯＭディスクまたはメモリスティックのようなデータ記憶媒体の形のコンピュータ読出可能手段で提供される。上述のコンピュータプログラムコード５２を有するＣＤ  ＲＯＭディスク５４の形の１つのそのようなコンピュータプログラム製品が、図１０に概略示されている。
【０１１７】
本発明が、現在最も実際的で好ましい実施形態であると考えられるものに関連して説明されたが、本発明は開示された実施形態に限定されるのではなく、それどころか、様々な修正形態および均等の構成を包含することが意図されることが理解されるべきである。したがって、本発明は以下の特許請求の範囲だけにより限定されるべきである。
【図１】
0005378597.tif 000002
【図２】
0005378597.tif 000003
【図３】
0005378597.tif 000004
【図４】
0005378597.tif 000005
【図５】
0005378597.tif 000006
【図６】
0005378597.tif 000007
【図７】
0005378597.tif 000008
【図８】
0005378597.tif 000009
【図９】
0005378597.tif 000010
【図１０】
0005378597.tif 000011